(57)【要約】【課題】墓前で突風の為炎が吹き消され燃え残っているろうそくを供養の為に最後まで燃やしてあげる金網付き墓参灯を提供する。また燃焼温度を下げ熱膨張も無く燃焼速度を遅くし、強風で消えにくく、転倒しない為に安全に扱え、屋外及び室内の用途に使用できる網付きろうそく立てを提供する。【解決手段】上部筒金具（２）と下部筒金具（２）を設け、金網（１）で囲んで風を防ぎ、ろうそく（３）もねじ釘（４）の為倒れても抜けず、吊り金具（５）を取り付けたことを特徴とする。他の形態の網付きろうそく立ては上下部の筒固定部（９）を設け、網（８）で囲んで風を防ぎ、ろうそく（３）もねじ釘（４）の為倒れても抜けず、通気孔（１１）を設けた円形の安定台（１０）の為に転倒しにくく、筒固定部（９）は着色した金属又は耐熱プラスチックを使用し網（８）を着色したり文字や絵を描くことを特徴とする。【選択図】図１
2004247287.tif 000002
【特許請求の範囲】
【請求項１】
ろうそく立てにろうそく（３）を固定するねじ釘（４）を設け、上部筒金具（２）と下部筒金具（２）を金網（１）で囲った、吊り金具（５）と水抜き穴（６）を設けた金網付き墓参灯。
【請求項２】
ろうそく（３）を固定するねじ釘（４）を設け、着色した金属又は耐熱プラスチックを使用した上下部の筒固定部（９）に、全体を着色したり文字や絵を描いた網（８）で囲った、通気孔（１１）と安定台（１０）を設けた網付きろうそく立て。
【発明の詳細な説明】
【技術分野】
【０００１】  この発明は、ろうそく立てにねじ釘を設け、上部筒金具と下部筒金具を金網で囲った金網付き墓参灯に関するものである。また本発明は、ステンレス製等の金網でろうそくの炎が強風により途中で消えにくく、ろうそくがねじ込み式のねじ釘で転倒しない為に安全に墓参りができる風圧に強い金網付き墓参灯に関するものである。【０００２】本発明は、網が風圧を分散しろうそくの炎を消えにくくするので、風圧に強い網を応用して多種多様の形に製作できるので屋外及び室内の用途にも使用できる網付きろうそく立てに関するものである。
【背景技術】
【０００３】  従来、墓参りに使用するプラスチック製の墓参灯はあった。【０００４】  従来、飲食業やアロマ等に使用するガラス製のろうそく立てはあった。【０００５】  従来、屋外イベントに使用する紙コップ製のろうそく立てはあった。【０００６】  従来、墓参りで風の為に炎が消えたり仏壇の火災が心配であった。また、癒しの時代でもあり若い女性がアロマブームやインテリア小物に関心をもっている。バーのテーブルにガラスコップのろうそくを置くＴＶドラマのシーンが多くなった。【０００７】  全国的に省エネルギー問題を考え、電灯を消してろうそくの灯火を楽しむイベントが多くなった。
【発明の開示】
【発明が解決しようとする課題】
【０００８】  プラスチック製の墓参灯には次のような欠点があった。（イ）プラスチック製は、熱で膨張して割れたり、茶色に焦げて見苦しかった。（ロ）ケースの台が陶器製のため空気孔が必要だった。（ハ）プラスチック製は、上部のみしか新鮮な酸素を取り込めず、内部に熱がこもりろうそくの燃焼速度が速まってろうそくの減り方が速かった。【０００９】  ガラス製のろうそく立てには次のような欠点があった。（イ）ガラス製のろうそく立ては、風で消えることは少ないが熱がこもり熱くなることがあった。（ロ）プラスチック製の墓参灯と同様に内部に熱がこもりろうそくの燃焼速度が速まってろうそくの減り方が速かった。（ハ）直接炎が当たるとガラスが割れることがあった。【００１０】  紙コップ製のろうそく立てには次のような欠点があった。（イ）紙コップ製のろうそく立ては、風で消えることは少ないが熱がこもり熱くなることがあった。（ロ）紙コップそのままでは、周囲を紙コップで覆われている為に内部のろうそくの揺らぎを直接楽しめなかった。（ハ）内部に塗られた灯りの色を照らそうとして、紙コップの一部を切り取ると風が内部に巻き込んで、強風で消えることがあった。（ニ）紙コップそのままでは、転倒時にろうそくの炎が紙コップに燃え移る恐れがあり、安全性に問題があった。本発明は、以上の欠点を無くすためになされたものである。
【課題を解決するための手段】
【００１１】  上部筒金具（２）と下部筒金具（２）を金網（１）で囲む。【００１２】  ろうそく（３）が外れないようにねじ釘（４）で固定する。【００１３】  上部の開口部に吊り下げの為の吊り金具（５）を設ける。【００１４】  墓前での使用時に雨水が溜まらないように、水抜き穴（６）を設ける。本発明は、以上の構成よりなる金網付き墓参灯である。【００１５】  他の形態の網付きろうそく立ての場合には上下部の筒固定部（９）と通気孔（１１）を設けた転倒防止の円形の安定台（１０）を網（８）で囲む。【００１６】  ろうそく（３）が外れないようにねじ釘（４）で固定する。【００１７】  筒固定部（９）は着色した金属又は耐熱プラスチックを使用する。【００１８】  網（８）には網全体を着色したり文字や絵を描くこともできる。本発明は、以上の構成よりなる他の形態の網付きろうそく立てである。
【発明の効果】
【００１９】  墓前での突風でも炎が消えにくく、仏壇での使用でもねじ釘の為消し忘れや倒れてもろうそくが抜けず火災の心配がない。またキャンドルや庭先に吊り金具（５）を使用すると燈籠のように吊り下げて楽しむこともできる。【００２０】  金網より酸素を取り込むので、熱がこもらず膨張することも無くろうそくの燃焼速度を遅くすることができる。また網及び通気孔から新鮮な酸素を取り込めるので燃焼温度を下げることができ、網を手で直接触っても熱くならない。転倒時に炎の先端は網の外側には出て行かないので、他の物に燃え移る可能性は低い。【００２１】  ステンレス製等の網が風圧を分散しろうそくの炎を消えにくくするので、風圧に強い金網付き墓参灯を応用して多種多様の形に製作できるので屋外及び室内の用途にも使用できる。【００２２】  ろうそくの炎が強風により途中で消えにくく、ろうそくの固定はねじ込み式で転倒しない為に安全に扱え、お洒落に飾れ、形が自由にでき多種多様の分野で使用できる。
【発明を実施するための最良の形態】
【００２３】  以下、本発明の実施の形態について説明する。上部筒金具（２）と下部筒金具（２）を金網（１）で固定する。ろうそく（３）は、ねじ釘（４）にて固定する。上部の開口部に吊り下げの為の吊り金具（５）を設ける。墓前での使用時に雨水が溜まらないように、水抜き穴（６）を設ける。本発明は、以上のような構造でこれを使用する時は、墓前、仏壇でも利用出来る。【００２４】  以下、他の形態の網付きろうそく立ての実施の形態について説明する。上下部の筒固定部（９）と通気孔（１１）を設けた転倒防止のセメント等を埋め込んだ円形の安定台（１０）を円筒形の網（８）で囲む。ろうそく（３）は、ねじ釘（４）にてねじ込んで固定する。上下部の筒固定部（９）は着色した金属又は耐熱プラスチックを使用する。網（８）には網全体を着色したり文字や絵を描くこともできる。本発明は、以上のような構造でこれを使用する時は安定台（１０）を取り外しろうそく（３）を取り付けて、インテリア小物として多種多様の分野で使用できる。
【実施例１】
【００２５】  屋外用は墓参り・寺・教会・祭り・玄関・ガーデニング等に使用でき、ろうそく複数使用で提灯やキャンプのランタンに使用できる。室内用は仏壇・アロマ・家庭用食卓や飲食業のレストラン・喫茶店・居酒屋・バーやクリスマス・誕生日・パーティー・結婚式の引出物や入浴・停電時等に使用できる。
【実施例２】
【００２６】  屋外用の紙コップの網付きろうそく立ては、使用する時は内部に短いろうそくを入れて土などの重しにより風で飛ばない様に設置し、内部に塗料を塗って色彩を夜間照らすことができる。複数並べてグラウンド・公園等の夜間照明のイベントに使用する。
【実施例３】
【００２７】  ねじ釘の底面にアルミ箔を敷けば、使用後の溶けたろうを片付けるのが簡単であり、ろうそくの灯りを反射させて周りを明るくできる。
【実施例４】
【００２８】  他の形態の網付きろうそく立てとしてペットボトル型のアルミ缶やスチール缶のろうそく立てや４角形等のろうそく立ても作製できる。
【産業上の利用可能性】
【００２９】ステンレス製等の網で囲まれたろうそく立て内部のらせん状のねじ釘にろうそくをねじ込み、設置場所に置いたり吊ったりして使用する。墓前での線香や飲食時にタバコの火も点けやすい。癒しの時代でありアロマやインテリア小物に使える。全国的な省エネ運動で、ろうそくを見直すイベントが多くなり手作りのろうそく立てが多く使用されているので、本発明のろうそく立てを使用する機会が増える。仏壇・入浴・停電時の使用で安全性及び経済性をアピールできる。家庭用食卓・飲食業・パーティー等の使用において酸素を取り込む通気孔より光が漏れ、影絵ができるのでムードあるインテリア小物に使用できる。また新しいタイプの結婚式の引出物に使用できる。ろうそくを複数使用することで提灯やキャンプのランタンにも使用できる。
【図面の簡単な説明】
【００３０】
【図１】金網付き墓参灯の実施方法を示した一部切断斜視図である。
【図２】紙コップのろうそく立ての実施方法を示した右側面図である。
【図３】ペットボトル型のろうそく立ての実施方法を示した右側面図である。
【図４】他の形態のろうそく立ての実施方法を示した正面図である。
【図５】「図４」のＡ−Ａ線に沿う断面図である。
【図６】他の形態のろうそく立ての実施方法を示した正面図である。
【図７】「図６」のＡ−Ａ線に沿う断面図である。
【図８】他の形態のろうそく立ての実施方法を示した正面図である。
【図９】「図８」の取り付け状態を示した正面図である。
【符号の説明】
【００３１】１    金網２    筒金具３    ろうそく４    ねじ釘５    吊り金具６    水抜き穴７    紙コップ８    網９    筒固定部１０  安定台１１  通気孔１２  ペットボトル１３  留め具
【図１】
2004247287.tif 000003
【図２】
2004247287.tif 000004
【図３】
2004247287.tif 000005
【図４】
2004247287.tif 000006
【図５】
2004247287.tif 000007
【図６】
2004247287.tif 000008
【図７】
2004247287.tif 000009
【図８】
2004247287.tif 000010
【図９】
2004247287.tif 000011